(57)【要約】【課題】照明手段で必要以上に照らすことにより生じる電力の無駄等の不都合をなくすことができる照明付厨房装置を提供する。【解決手段】コンロ４及びシンク５を備えた調理台２と、調理台２を照らす照度変更可能な照明手段６と、調理台２の周囲に位置する人体を検知する人体検知センサ７と、調理台２の近傍の明るさを検知する照度センサ８と、人体検知センサ７が人体を検知した時に、照度センサ８が検知する明るさに応じて照明手段６で所定の照度で照らすように制御する制御部と、を備える。【選択図】        図１
2011067439.tif 000002
【特許請求の範囲】
【請求項１】
コンロ及びシンクを備えた調理台と、調理台を照らす照度変更可能な照明手段と、調理台の近傍に位置する人体を検知する人体検知センサと、調理台の周囲の明るさを検知する照度センサと、人体検知センサが人体を検知した時に、照度センサが検知する明るさに応じて照明手段で所定の照度で照らすように制御する制御部と、を備えて成ることを特徴とする照明付厨房装置。
【請求項２】
制御部は、消灯モード、通常の点灯モード、通常の点灯よりも暗い光で照らす弱光モード、の三通りで照らすように制御することが可能であり、照度センサで検知された明るさが第一の閾値以上である場合には消灯モードを実行し、照度センサで検知された明るさが第一の閾値未満で且つ該第一の閾値よりも小さい第二の閾値以上である場合には通常の点灯モードを実行し、照度センサで検知された明るさが第二の閾値未満である場合には弱光モードを実行することを特徴とする請求項１記載の照明付厨房装置。
【発明の詳細な説明】
【技術分野】
【０００１】
本発明は、照明手段を備えた厨房装置に関するものである。
【背景技術】
【０００２】
従来から、コンロ及びシンクを有するカウンターと、人体検知センサと、照明手段と、を備えた厨房装置が利用されている。この厨房装置は、人体検知センサで人体を検知すると、照明手段で自動的に照らすようになっている（例えば特許文献１参照）。
【０００３】
ところで、朝食や昼食や夕食の調理は日中に行うため、厨房装置の周辺が充分に明るく、厨房装置の照明手段で照らさなくても調理を行うことができる。
【０００４】
しかしながら、特許文献１記載の厨房装置にあっては、人体検知センサが人体を検知すると照明手段で照らすため、必要以上に明るくなって眩しいと共に電力が無駄となるものであった。
【０００５】
また特許文献１記載の厨房装置にあっては、夜間就寝中に起き出した人がコップに水等の飲み物を入れて飲んでシンクに置くような場合でも、人体検知センサが人体を検知して照明手段で明るく照らしてしまうが、前述した人が明るく照らされることで覚醒してしまい、再び就寝しようとしても寝付けない惧れがある、という問題があった。
【先行技術文献】
【特許文献】
【０００６】
【特許文献１】特開平５−７５１４号公報（段落［００１２］）
【発明の概要】
【発明が解決しようとする課題】
【０００７】
本発明は上記従来の問題点に鑑みてなされたものであって、その目的とするところは、照明手段で必要以上に照らすことにより生じる電力の無駄等の不都合をなくすことができる照明付厨房装置を提供する。
【課題を解決するための手段】
【０００８】
本発明の照明付厨房装置は、コンロ４及びシンク５を備えた調理台２と、調理台２を照らす照度変更可能な照明手段６と、調理台２の近傍に位置する人体を検知する人体検知センサ７と、調理台２の周囲の明るさを検知する照度センサ８と、人体検知センサ７が人体を検知した時に、照度センサ８が検知する明るさに応じて照明手段６で所定の照度で照らすように制御する制御部と、を備えたことを特徴とする。
【０００９】
この構成によれば、人体検知センサ７が人体を検知した時に照度センサ８が検知する明るさに応じて照らすため、照明手段６で必要以上に照らしてしまうのをなくすことが可能となる。
【００１０】
また、制御部は、消灯モード、通常の点灯モード、通常の点灯よりも暗い光で照らす弱光モード、の三通りで照らすように制御することが可能であり、照度センサ８で検知された明るさが第一の閾値以上である場合には消灯モードを実行し、照度センサ８で検知された明るさが第一の閾値未満で且つ該第一の閾値よりも小さい第二の閾値以上である場合には通常の点灯モードを実行し、照度センサ８で検知された明るさが第二の閾値未満である場合には弱光モードを実行するのが好ましい。
【００１１】
この構成によれば、照度センサ８で検知された明るさが第一の閾値以上である場合照明手段で照らさずにすみ、また、照度センサで検知された明るさが第二の閾値未満である場合は弱光モードで照らされるため、点灯モードで照らさずにすむ。
【発明の効果】
【００１２】
本発明にあっては、照明手段で必要以上に照らすことにより生じる、電力の無駄や、就寝中に起き出した人が覚醒されてしまう、といった不都合をなくすことができる。
【図面の簡単な説明】
【００１３】
【図１】本発明の照明付厨房装置の一実施形態の斜視図である。
【図２】１日の時間変化に対する明るさの変化の相関と、閾値と、照明モードとの関係を示す図である。
【発明を実施するための形態】
【００１４】
以下、本発明を添付図面に示す実施形態に基いて説明する。
【００１５】
本発明における照明付厨房装置１は、コンロ４、シンク５を備えた調理台２により主体が構成してある。調理台２は、調理台キャビネット２１と、調理台キャビネット２１の上面部に設置されるカウンター３とを備えている。
【００１６】
また、図１にはキッチンとダイニングとを仕切る対面式厨房装置の例が示してあって、調理台２の奥側に仕切りとして機能する立ち上がり部２２が立設してある。
【００１７】
カウンター３には一側部にシンク５を設け、他側部にコンロ４を設けていて、両者の中間部が調理面部となっている。
【００１８】
厨房装置１には、カウンター３を照らす照明手段６が設けられる。本実施形態では、立ち上がり部２２の上端部に、左右方向を長手方向とする照明手段６が設けてあり、コンロ４とシンク５とその間の調理面部が照明手段６により照らされる。なお、照明手段６の光源としてはＬＥＤが好適に用いられるが、白熱灯や蛍光灯でもよく、また、立ち上がり部２２に設けられるのではなく天井や吊戸棚の下面等に設けられてもよく、調理台２を好適に照らすものであれば限定されない。この照明手段６は、手動で操作するための操作部（図示せず）が設けられており、この操作部を操作することで照らす際の照度の変更が可能となっている。
【００１９】
また、厨房装置１には厨房装置１に近づいた人を検知する人体検知センサ７が設けられるもので、図１に示す実施形態では調理台の前方の所定の検知領域Ａ内に人が近づくと人体検知センサ７で検知するように、カウンター３の前端面に設けられている。
【００２０】
また、厨房装置１には、明るさ（照度）を検知する照度センサ８が設けられるもので、図１に示す実施形態では、厨房装置１の周囲（検知領域Ａ）の明るさが検知されるようにカウンター７の前端面に設けられているが、照度センサ８によりカウンター３上の明るさが検知されるようにしてもよい。
【００２１】
本発明では、照度センサ８が検知する明るさに応じて照明手段６で照らす照度を制御するのであるが、本実施形態ではこの際に第一の閾値と第二の閾値の二つの閾値が用いられる。図２に、１日の時間変化に対する明るさの変化の相関を示すグラフと、各閾値と、各照明モードの設定領域を示す。第一の閾値としては、照明手段６を照らさなくても充分明るく、不自由なく調理等の種々の作業が可能な照度の下限値、即ち、主に正午の前後数時間における調理台２の周囲の照度の下限値が設定される。第二の閾値としては、室外の光や同室内の他の照明から発する光により調理台２の周囲が殆ど照らされておらず、調理は勿論、カランから水を吐水すべくカラン操作部を操作したりコップをシンクに置いたりする作業が容易に行えない程度の照度の上限値が設定される。
【００２２】
人体検知センサ７で人体を検知して該検知信号が制御部に入力されると、照度センサ８で検知されている明るさ検知信号が制御部に読み込まれ、明るさが第一の閾値以上である場合には、照明モードＩ（消灯モード）を実行して点灯せず、明るさが第一の閾値未満で第二の閾値以上である場合には、照明モードII（通常の点灯モード）を実行して主照明点灯を行い、明るさが第二の閾値未満である場合には、照明モードIII（弱光モード）を実行して非覚醒点灯を行う。
【００２３】
照明モードＩでは点灯しないものであり、これは、明るさが第一の閾値以上である時には厨房装置の周辺が十分に明るく、照明手段６で照らす必要がないからである。
【００２４】
照明モードIIでは、明るさが第一の閾値未満である時には照明手段６で照らす必要があり、更に明るさが第二の閾値以上である時には、深夜のように暗くなく厨房装置１で作業を行うのに好適なように、主照明として照明手段６で照らすものである。
【００２５】
照明モードIIIでは、明るさが第二の閾値未満である時には、外が暗く他の部屋の照明も消灯していて例えば深夜であれば、就寝していたところ起き出してコップで水を飲む等の動作を行うことが想定さるため、使用者が覚醒しないように主照明よりも暗い照度で照らすものである。
【００２６】
本発明では、人体検知センサ７が人体を検知した時に、照度センサ８が検知する明るさに応じて照明手段６で所定の照度で照らすように制御部により制御されるため、例えば厨房装置１の周辺が充分に明るい時には照明手段６で照らさず、これにより、必要以上に照明手段６で照らして、使用者が眩しかったり電力が無駄になるといったことがない。
【００２７】
また、例えば夜間の暗い時には弱光モードで照らすため、就寝中に起き出した使用者が眩しさを感じたり覚醒して再び就寝しようとしても寝付けないといったことがない。
【符号の説明】
【００２８】
１    照明付厨房装置
２    調理台
２１  調理台キャビネット
２２  立ち上がり部
３    カウンター
４    コンロ
５    シンク
６    照明手段
７    人体検知センサ
８    照度センサ
Ａ    検知領域
【図１】
2011067439.tif 000003
【図２】
2011067439.tif 000004